(57)【特許請求の範囲】
【請求項１】
自動車のためのルーフ構造体であって、可動のルーフ区分（２１）が降下後に、不動のルーフ区分（２２）の下方に移動可能である形式のものにおいて、
走行方向（Ｂ）で見て、可動のルーフ区分（２１）の後縁部（２３）に保護・遮蔽条片（２８）が取り付けられていて、該保護・遮蔽条片（２８）が、可動のルーフ区分（２１）の内側に固定された第１の条片領域（２８′）とルーフ区分（２１）を越えて張出した自由な第２の条片領域（２８′′）とを有しており、該第２の条片領域（２８′′）が第１の条片領域（２８′）と枢着結合されていて、ばね弾性的にプレロードをかけられ、第２の条片領域（２８′′）が、ルーフ区分（２１）の降下時に自動的に起立され可動のルーフ区分（２１）と不動のルーフ区分（２２）との間に形成されるギャップ（Ｓ）を遮蔽するようになっていることを特徴とする、自動車のためのルーフ構造体。
【請求項２】
保護・遮蔽条片（２８）がプラスチックから一体的に形成されている、請求項１記載のルーフ構造体。
【請求項３】
保護・遮蔽条片（２８）がプラスチックから複数の部分で形成されている、請求項１記載のルーフ構造体。
【請求項４】
ばね弾性的なプレロードが両条片領域（２８′，２８′′）を所定の形状に成形することによって互いに生ぜしめられる、請求項１又は２記載の自動車のためのルーフ構造体。
【請求項５】
ばね弾性的なプレロードがばね弾性的な部材によって生ぜしめられる、請求項１から３までのいずれか１項記載のルーフ構造体。
【請求項６】
保護・遮蔽条片（２８）の両条片領域（２８′，２８′′）の間に切欠き（２９）が設けられていて、該切欠き（２９）によって第２の条片領域（２８′′）の所定の屈曲が、有利には中空成形条片（２５）のストッパ（３０）に至るまで行われる、請求項１又は２記載のルーフ構造体。
【請求項７】
切欠き（２９）が楔形もしくはＵ字形である、請求項６記載のルーフ構造体。
【請求項８】
保護・遮蔽条片（２８）が、自動車の走行方向に対して横方向で、車両長手方向で延びる導水溝（１８′）を越えるまで延びている、請求項１から７までのいずれか１項記載のルーフ構造体。
【発明の詳細な説明】
【０００１】
【発明の属する技術分野】
本発明は、自動車のためのルーフ構造体であって、可動のルーフ区分が降下後に、不動のルーフ区分の下方に移動可能である形式のものに関する。
【０００２】
【従来の技術】
ドイツ連邦共和国特許出願第４３３５６５３．２号明細書によれば可動の第２ルーフ区分が適当な運動機構によって第３ルーフ区分の下方に移動可能となっている、乗用車のボディが公知である。ルーフが開放されている場合には、第２ルーフ区分の降下及び移動によって両ルーフ区分の間にギャップが形成される。
【０００３】
【発明が解決しようとする課題】
本発明の課題は、冒頭で述べた形式のルーフ構造体を改良して、例えば車両の後部座席に座る乗客の指がギャップに誤ってはさまってしまうことを防止し、両ルーフ区分の間の移行部における美的効果が改善されるようなルーフ構造体を提供することである。
【０００４】
【課題を解決するための手段】
この課題を解決するために本発明の構成では、走行方向で見て、可動のルーフ区分の後縁部に保護・遮蔽条片が取り付けられていて、該保護・遮蔽条片が、可動のルーフ区分の内側に固定された第１の条片領域とルーフ区分を越えて張出した自由な第２の条片領域とを有しており、該第２の条片領域が第１の条片領域と枢着結合されていて、ばね弾性的にプレロードをかけられ、第２の条片領域が、ルーフ区分の降下時に自動的に起立され可動のルーフ区分と不動のルーフ区分との間に形成されるギャップを遮蔽するようになっているようにした。
【０００５】
【発明の効果】
本発明により得られる主な利点は、保護・遮蔽条片を取り付けることにより、乗客が指を２つのルーフ区分の間のギャップに差し込んでしまう恐れが回避され、従って負傷する危険性が少なくとも減小されるという点にある。この場合この条片は、第２ルーフ区分と第３ルーフ区分との間の、即ち客室の内側の移行部領域の調和のとれた遮蔽を保証する。別の表現をするなら、この条片は最良の視覚的な印象のために貢献する。さらにこの条片は、ルーフ区分の間のギャップに浸入する水を側方のルーフフレーム領域に配置された導水溝から側方で導出するために役立つ。保護・遮蔽条片は安価に製造でき、簡単に組み付け可能で確実に作用する。
【０００６】
第２ルーフ区分の後縁部及び第３ルーフ区分の前縁部には中空成形体が設けられていて、この中空成形体はルーフ構造体を強化するために、及びシール成形体の受容のために働き、さらに第１条片領域及び第２条片領域を有する保護・遮蔽条片のためのストッパとして働く。ルーフが開放されている場合には、第２ルーフ区分がまず最初に降下されて、第３ルーフ区分の中空成形条片の下方で移動可能となる。この場合両ルーフ区分の間にギャップが生じ、このギャップは自動的に起立される第２の条片領域によってほぼ遮蔽される。
【０００７】
保護・遮蔽条片はプラスチックから一体の又は複数の部分として製造される。プレロード（予荷重）は、単数又は複数のプラスチック部分を適当な形状に成形することにより得られる。また、プレロードは、適当なばね弾性的な挿入部材によっても得られる。
【０００８】
【発明の実施の形態】
次に図面につき本発明の実施の形態を説明する。
【０００９】
図１に示した乗用車１は、車輪３に支持されたボディ２を有している。このボディ２はフロントガラス５を備えた基体４とベルトライン６とによって形成されている。基体４には、上方のフロントガラスフレーム７′とベルトライン６とに続く装着部７が設けられていて、ルーフ部分８によって客室９を遮蔽している。乗用車の中央長手方向平面にほぼ沿って延びるルーフライン１０は、フロントガラスフレーム７′とリヤフラップ１１との間で、走行方向Ｂとは反対の方向で下降する一貫した湾曲形状をなして延びているので、ボディ２はファストバック構造を備えたクーペの形状を有している。
【００１０】
装着部７は、サイドウインド１５，１７を制限する側方のルーフフレーム１８を有していて、このルーフフレーム１８の間には、車両長手方向Ｃ−Ｃで見て互いに前後に位置して（図２参照）第１ルーフ区分２０、第２ルーフ区分２１、第３ルーフ区分２２が設けられている。この側方のルーフフレーム１８には導水溝１８′が設けられていて、この構造は例えば図４に示されている。第１ルーフ区分２０は防風装置として働く。第２ルーフ区分２１はスライドルーフの形式で長手方向可動に形成されていて、第３ルーフ区分２２の下方で移動できるようになっている。第３ルーフ区分２２は装着部７に固く嵌め込まれている。
【００１１】
図３に本発明の作用形式が詳しく示されている。第２のルーフ部分２１の後縁部２３及び第３ルーフ区分２２の前縁部２４には中空成形条片２５，２６が設けられていて、これらの中空成形条片２５，２６はルーフ構造体を補強するために働く。中空成形条片２５は接着によって第２ルーフ区分２１に固定されている。ルーフ開放時には、この第２ルーフ区分２１がまず最初に降下されて、第３ルーフ区分２２の中空成形条片２７の下方にスライドされる。この場合、両ルーフ区分の間にはギャップＳが生じる。第２ルーフ区分２１の中空成形条片２５には、第１条片領域２８′を有する保護・遮蔽条片２８が固定されている。この保護・遮蔽条片２８の、第２ルーフ区分２１の後縁部２３である端部を越えて張出した第２の自由条片領域２８′′は第１条片領域２８′に枢着結合されていて、ばね弾性的にＤ１の方向でルーフ内側にプレロードをかけられて、第２条片領域２８′′が、ルーフ区分２１の降下時に自動的に起立され第２ルーフ区分２１と第３ルーフ区分２２との間に形成されるギャップＳを遮蔽するようになっている。第２ルーフ区分２１と第３ルーフ区分２２との間に浸入する水を効果的に導出させるために保護・遮蔽条片２８の端部が導水溝１８′の上方で延びている。導出される水はほぼ矢印で示したように流れる（図４参照）。
【００１２】
保護・遮蔽条片２８はプラスチックから成っていて、１つの部分から製造されている。第２条片領域２８′′のプレロードは適当な形状を付与することにより生ぜしめられる。このプレロードは相応に形成された付加的なばね弾性的部材によって補助される。又、保護・遮蔽条片２８は複数の部分から形成されていてもよい。即ち、両条片領域２８′，２８′′が別個の製造法で製造されて、その後ばね弾性的な部材によって結合されてもよい。
【００１３】
中空成形条片２５は接着結合部ＫＶで第１条片領域２８′を保持している。この中空成形条片２５は第２条片領域２８′′のためのストッパを形成している。
【００１４】
第２ルーフ区分２１の閉鎖位置では、第２条片領域２８′′が中空成形条片２７の区分３２に当接する（閉鎖作業位置ＡＺ）。第２ルーフ区分２１の降下時即ち開放時には、直立した第２条片領域２８′′が中空成形条片２５のストッパ３０に当接する（開放作業位置ＡＯ）。このことにより、第２条片領域２８′′の端部３１が第３ルーフ区分２２に対して間隔をおいて延びることが保証される。楔形又はＵ字形に成形されていてよい切欠き２９は経験によって決定されていて、保護・遮蔽条片２８において、自由条片領域２８′′がストッパ３０に当接するように選択されている。
【図面の簡単な説明】
【図１】乗用車の側方より見た図である。
【図２】図１の可動のルーフ区分を示した部分図である。
【図３】図１のＸで示した部分の拡大した断面図である。
【図４】図３の矢印方向Ｙで見た図である。
【符号の説明】
１  乗用車、  ２  ボディ、  ３  車輪、  ４  基体、  ５  フロントガラス、  ６  ベルトライン、  ７  装着部、  ７′  フロントガラスフレーム、  ８ルーフ区分、  ９  客室、１０  ルーフライン、  １１  リヤフラップ、  １５，１７  サイドウインド、  １８  ルーフフレーム、  １８′  導水溝、  ２０第１ルーフ区分、  ２１  第２ルーフ区分、  ２２  第３ルーフ区分、  ２３後縁部、  ２４  前縁部、  ２５，２６，２７  中空成形条片、  ２８  保護・遮蔽条片、  ２８′，２８′′  条片領域、  ２９  切欠き、  ３０  ストッパ、  ３１  端部、  ３２  区分、  Ｓ  ギャップ
【図１】
0003802112.tif 000002
【図２】
0003802112.tif 000003
【図３】
0003802112.tif 000004
【図４】
0003802112.tif 000005